(57)【要約】【課題】ビットの装着孔の角度調整作業を容易にした打撃工具を提供する。【解決手段】バレル３１と、ビット７１の装着孔６１が形成されておりバレル３１と螺合するツールホルダ６０と、を備えた打撃工具１において、バレル３１に形成されるバレル側被係止部３７と、ツールホルダ６０に形成されるツールホルダ側被係止部６５と、バレル側被係止部３７とツールホルダ側被係止部６５の両方に同時に係止して相対回転を規制する両方係止位置と、いずれか一方にのみ係止して相対回転を許容する一方係止位置とに移動可能な係止部材８１とを備えていることを特徴とする。【選択図】図５
2016209954.tif 000002
【特許請求の範囲】
【請求項１】
バレルと、
ビットの装着孔が形成されており前記バレルと螺合するツールホルダと、を備えた打撃工具において、
前記バレルに形成されるバレル側被係止部と、
前記ツールホルダに形成されるツールホルダ側被係止部と、
前記バレル側被係止部と前記ツールホルダ側被係止部の両方に同時に係止して相対回転を規制する両方係止位置と、いずれか一方にのみ係止して相対回転を許容する一方係止位置とに移動可能な係止部材と、を備えていることを特徴とする打撃工具。
【請求項２】
前記係止部材を前記両方係止位置に維持させるための維持力を発揮する維持手段を備えていることを特徴とする請求項１に記載の打撃工具。
【発明の詳細な説明】
【技術分野】
【０００１】
本発明は、コンクリートの粉砕やはつり作業等に使用される打撃工具に関する。
【背景技術】
【０００２】
従来から、例えば、コンクリートハンマと称される打撃工具が知られている。この種の打撃工具は、ツールホルダ部に装着された先端工具であるビットに打撃力を付与させることでコンクリートの粉砕やはつり等の作業を行うことができる。
【０００３】
先端工具であるビットは、断面視六角形に形成された基部を打撃工具のツールホルダに形成された対応する断面形状の装着孔に挿嵌して装着される。ビットには種々の形状のものがあるが、先端部が偏平状に形成されたビットは、中心軸線まわりで基部に対して先端部の方向性があるため、ツールホルダへの装着角度によっては使い勝手が低下することがある。したがって、打撃工具では、本体部に対する装着孔の中心軸線まわりでの角度を所定の角度にしておくことが望まれる。例えば、下記特許文献１では、本体部のバレルと装着孔が形成されたツールホルダとの螺合による当接部に軟質のリングを介在させておき、バレルとツールホルダとの螺着時に装着孔の角度ずれがあった場合は、ツールホルダの締付トルクを増加させてリングを塑性変形させながらツールホルダを締付方向へさらに回転させることで、装着孔が所定の角度になるように調整する技術に関する発明が記載されている。
【先行技術文献】
【特許文献】
【０００４】
【特許文献１】特許第３６５７８０２号公報
【発明の概要】
【発明が解決しようとする課題】
【０００５】
ところが、上述の構成では、螺着時の装着孔の角度ずれの大きさによって、締付トルクの増加量を変更する必要があるため、角度調整の作業性を高めることが困難であった。また、粉砕やはつり作業中の衝撃によるビットへの過大なトルク負荷によってツールホルダが締付方向に回転して装着孔の角度ずれが発生した場合は、リングがさらに塑性変形を起こしていることになり、このため、装着孔の角度ずれを修正するには、負荷された過大なトルクよりさらに大きなトルクで締付けて、リングをさらに塑性変形させながらツールホルダを回転させなければならないことになる。したがって、その修正作業は著しく困難なものとなってしまう。
【０００６】
本発明は、上述した課題の存在に鑑みてなされたものであって、その目的は、ビットの装着孔の角度調整作業を容易にした打撃工具を提供することである。
【課題を解決するための手段】
【０００７】
本発明に係る打撃工具は、バレルと、ビットの装着孔が形成されており前記バレルと螺合するツールホルダと、を備えた打撃工具であって、前記バレルに形成されるバレル側被係止部と、前記ツールホルダに形成されるツールホルダ側被係止部と、前記バレル側被係止部と前記ツールホルダ側被係止部の両方に同時に係止して相対回転を規制する両方係止位置と、いずれか一方にのみ係止して相対回転を許容する一方係止位置とに移動可能な係止部材と、を備えていることを特徴とする。
【０００８】
また、本発明に係る打撃工具においては、前記係止部材を前記両方係止位置に維持させるための維持力を発揮する維持手段を備えるように構成することができる。
【発明の効果】
【０００９】
本発明によれば、ビットの装着孔の角度調整作業を容易にした打撃工具を提供することができる。
【図面の簡単な説明】
【００１０】
【図１】本実施形態に係るコンクリートハンマの左側面図である。
【図２】本実施形態に係るコンクリートハンマの断面図である。
【図３】図２における矢視Ａを示す図である。
【図４】係止部材が一方係止位置にある状態を示す図であり、（ａ）が要部平面図、（ｂ）が要部断面図である。
【図５】係止部材が両方係止位置にある状態を示す図であり、（ａ）が要部平面図、（ｂ）が要部断面図である。
【図６】別の実施形態に係るコンクリートハンマの図であって、図５（ａ）に相当する要部平面図である。
【発明を実施するための形態】
【００１１】
以下、本発明を実施するための好適な実施形態について図を用いて説明する。なお、以下の実施形態は、各請求項に係る発明を限定するものではなく、また、実施形態の中で説明されている特徴の組み合わせの全てが発明の解決手段に必須であるとは限らない。
【００１２】
まず、図１〜図３を参照して本実施形態に係る打撃工具であるコンクリートハンマの基本構造について説明する。
【００１３】
ここで、図１は本実施形態に係るコンクリートハンマの左側面図であり、図２は本実施形態に係るコンクリートハンマの断面図である。図３は図２における矢視Ａを示す図である。また、本明細書では、図中に示すように「前、後、左、右、上、下」を規定して説明する。
【００１４】
本実施形態に係るコンクリートハンマ１は、駆動部２０及びハンドル部４０を備える本体部１０と、本体部１０の前方に配置されるツールホルダ部５０とを有して構成されている。駆動部２０は、駆動源である電動モータ２１と、電動モータ２１の回転を減速して伝達する歯車等からなる駆動伝達部２２と、駆動伝達部２２によって伝達された回転を打撃運動へ変換するために打撃機構部３０とを備えている。電動モータ２１及び駆動伝達部２２は、ハウジング１１に収容されており、打撃機構部３０は、ハウジング１１の前方に固定された筒状のバレル３１にその主要部分が収容されている。なお、バレル３１は、金属加工により製作されている。ハウジング１１の後方には、作業者が把持するための把持部４１と運転操作を行うためのスイッチ４２とを備えたハンドル部４０が振動減衰機構を介して連結されている。バレル３１の外周は、前側に作業者が把持できる把持部１３が形成された略筒状のバレルカバー１２によって被嵌されている。バレルカバー１２の後側には、不図示の補助ハンドルを装着することができる補助ハンドル装着部１４が形成されている。なお、打撃機構部３０は、従来公知の構成であるので、詳細な説明は省略する。
【００１５】
バレル３１の前端側には、基部に断面視六角形の外周面を有するビット７１を着脱可能に装着できるツールホルダ部５０が連結されている。ツールホルダ部５０は、ビット７１を挿嵌する断面視六角形の装着孔６１が前部に形成されたツールホルダ６０と、ツールホルダ６０の先端部に取り付けられるキャップ５１と、ビット７１の着脱を行うために移動操作するツールスリーブ５２と、ツールスリーブ５２の移動位置によって、装着孔６１に挿嵌されたビット７１を保持状態と非保持状態とに切換える保持部５３とを備えている。ビット７１をツールホルダ部５０に装着する場合は、ツールスリーブ５２を保持部５３がビット７１を非保持状態にする位置に移動操作し、装着孔６１にビット７１の基部を挿嵌した後、ツールスリーブ５２を保持部５３がビット７１を保持状態にする位置に移動させることになる。
【００１６】
次に、図４及び図５を参照図に加えて、本体部１０とツールホルダ部５０との連結部について説明する。
【００１７】
ここで、図４は係止部材が一方係止位置にある状態を示す図であり、（ａ）が要部平面図、（ｂ）が要部断面図である。図５は係止部材が両方係止位置にある状態を示す図であり、（ａ）が要部平面図、（ｂ）が要部断面図である。なお、図４及び図５においては、一部図示を省略しているものがある。
【００１８】
本実施形態に係るコンクリートハンマ１のバレル３１は、パイプ状の部材であり、外周部は、前端部に形成される小径部３２と、小径部３２の後方に形成され小径部３２より大きい外径を有する雄ネジ３３と、雄ネジ３３の後方に形成され雄ネジ３３とほぼ等しい外径を有する中間外周部３４と、中間外周部３４の後方に形成され中間外周部３４より大きい外形を有するコイルバネ案内部３５と、コイルバネ案内部３５の後方に形成されコイルバネ案内部３５より大きい外径を有する大径部３６とを有している。コイルバネ案内部３５には前方に向かってＵ字状に開いた溝であるバレル側被係止部３７が上下２箇所に一対として形成されている。バレル側被係止部３７の底面の中心軸線からの距離は、中間外周部３４の半径に対してわずかに小さく設定されている。
【００１９】
ツールホルダ６０は、後端部に形成され雄ネジ３３及び中間外周部３４に対してわずかに大きい内径を有する後端円環部６２と、後端円環部６２の前方に所定の前後方向長さで形成される後端円環部６２の内径より小径の雌ネジ６３とを有しており、雌ネジ６３はバレル３１の雄ネジ３３と螺合している。後端円環部６２には後方に向かってＵ字状に開いた切り欠きであるツールホルダ側被係止部６５が、周方向等間隔で一対として形成されている。ツールホルダ側被係止部６５の形成位置は、中心から断面視六角形の装着孔６１の対向する２つの頂点を通る直線上であり、図３においては、上下２つの頂点を通る直線上である。ツールホルダ側被係止部６５は、後述する係止部材８１を挟んでバレル側被係止部３７と対向している。バレル３１の前端面とツールホルダ６０との間には、エラストマーからなる弾性変形可能なシール部材６４が配置されている。
【００２０】
バレル３１のコイルバネ案内部３５とツールホルダ６０の後端円環部６２との間には係止部材８１が配置されている。係止部材８１は、中間外周部３４に移動可能に嵌合する内周面とバレル３１の大径部３６の外径とほぼ等しい外径の外周面とを有する環状部８２と、環状部８２から後方に向かって突出する後方係止部８３と、後方係止部８３と同じ周方向位置において環状部８２から前方に向かって突出する前方係止部８４とを有しており、さらに、後方係止部８３と同じ周方向位置において環状部８２の外周面にネジ固定された操作突起８５を有している。操作突起８５は、把持部１３を把持したときに誤って操作しないように、あるいは接触による移動を回避するために、把持部１３の外周から突出しない大きさに設定されている。後方係止部８３はバレル側被係止部３７に挿嵌可能な周方向（幅方向）寸法で形成されており、前方係止部８４はツールホルダ側被係止部６５に挿嵌可能な周方向（幅方向）寸法で形成されている。後方係止部８３、前方係止部８４および操作突起８５は、環状部８２の周方向等間隔でそれぞれ一対設けられている。後方係止部８３の環状部８２からの突出量（前後方向長さ）は、前方係止部８４の環状部８２からの突出量（前後方向長さ）に対して大きく設定されており、さらには、バレル側被係止部３７の前後方向長さに対してわずかに小さく設定されている。前方係止部８４の環状部８２からの突出量（前後方向長さ）は、ツールホルダ側被係止部６５の前後方向長さに対してわずかに小さく設定されている。環状部８２の外周面後端側にはバレル３１のコイルバネ案内部３５とほぼ等しい外径で形成されたコイルバネ支持部８６が形成されている。コイルバネ案内部３５とコイルバネ支持部８６との間には、係止部材８１を前方に向かって付勢するようにコイルバネ８７がその内周面を案内されて配置されている。
【００２１】
バレルカバー１２の把持部１３には、操作突起８５を操作するための前後方向に長い長穴状の開口１５が上下２箇所に形成されている。
【００２２】
上述の構成において、本体部１０にツールホルダ部５０を連結する作業は、まず、バレル３１のコイルバネ案内部３５にコイルバネ８７を挿入した後、中間外周部３４に係止部材８１を挿嵌し、コイルバネ８７の付勢力に抗して係止部材８１をコイルバネ案内部３５の前側端面に当接するまで後方に移動させて、後方係止部８３をバレル側被係止部３７の最奥部まで進入させて係止させておく。次に、ツールホルダ６０の雌ネジ６３をバレル３１の雄ネジ３３に螺入させていく。雌ネジ６３の雄ネジ３３への螺入により、本体部１０からツールホルダ部５０の前端までの寸法が所定の範囲内となり、かつ、図３に示す断面視六角形の装着孔６１の対向する２つの頂点が上下方向線上に位置したところで螺入を中止する。この時点では、前方係止部８４はツールホルダ側被係止部６５に進入していない。図４はこの時の状態を示しており、図４における係止部材８１の位置が本願発明の一方係止位置に相当する。すなわち、本実施形態における係止部材８１の一方係止位置とは、係止部材８１の後方係止部８３はバレル側被係止部３７に係止しているが、前方係止部８４はツールホルダ側被係止部６５に係止していない位置である。この状態では、バレル３１に対するツールホルダ６０の回転は規制されていない。
【００２３】
次に、係止部材８１を後端円環部６２の後側端面に当接するまで前方に移動させて、前方係止部８４をツールホルダ側被係止部６５の最奥部まで進入させて係止させる。この時、後方係止部８３はバレル側被係止部３７の最奥部からは離間するが、依然としてバレル側被係止部３７に回転不能に係止した状態にある。図５はこの時の状態を示しており、図５における係止部材８１の位置が本願発明の両方係止位置に相当する。すなわち、本実施形態における係止部材８１の両方係止位置とは、係止部材８１の後方係止部８３がバレル側被係止部３７に係止するとともに、前方係止部８４がツールホルダ側被係止部６５に係止している位置である。係止部材８１の両方係止位置に位置させることで、断面視六角形の装着孔６１の対向する２つの頂点が上下方向線上に位置した状態で、バレル３１に対するツールホルダ６０の回転が規制される。
【００２４】
この後、バレル３１の外周にバレルカバー１２を挿着し、さらに、開口１５から操作突起８５を環状部８２の外周面にネジ固定する。
【００２５】
以上のように、本実施形態に係るコンクリートハンマ１においては、係止部材８１の両方係止位置に位置させることで、断面視六角形の装着孔６１の対向する２つの頂点が上下方向線上に位置した角度に設定することができる。したがって、角度調整作業の簡略化が可能となり、組立作業性を向上することができる。また、コイルバネ８７の付勢力が、係止部材８１の位置を両方係止位置に維持させる維持力となって作用することで、誤って係止部材８１が後方へ移動して、前方係止部８４のツールホルダ側被係止部６５への係止が解除されてしまうことを防止できる。したがって、ツールホルダ部５０が回転して装着孔６１の角度ずれが発生することを効果的に防止できる。
【００２６】
次に  本発明の別の実施形態について、図６を参照して説明する。ここで、図６は別の実施形態に係るコンクリートハンマの図であって、図５（ａ）に相当する要部平面図である。なお、本発明の別の実施形態は、上述の実施形態とはツールホルダ（６０）のみが相違しているので、以下の説明はその相違点を中心に行う。
【００２７】
本発明の別の実施形態は、上述の実施形態が断面視六角形の装着孔６１の対向する２つの頂点が上下方向線上に位置するように設定するためのみの構成であったのに対し、断面視六角形の装着孔６１の対向する２つの頂点が左右方向線上にも位置するように設定することができる構成である。
【００２８】
本発明の別の実施形態のツールホルダ１６０は、上述の実施形態とツールホルダ６０のツールホルダ側被係止部６５と同じ位置に形成された第一ツールホルダ側被係止部１６５に加えて、中心軸線回りで第一ツールホルダ側被係止部１６５から３０度回転した位置に第二ツールホルダ側被係止部１６６を形成したものである。なお、第一ツールホルダ側被係止部１６５と第二ツールホルダ側被係止部１６６は、周方向等間隔で一対として形成されている。したがって、第一ツールホルダ側被係止部１６５に前方係止部８４を係止させる場合は、断面視六角形の装着孔６１の対向する２つの頂点が上下方向線上に位置するように設定され、第二ツールホルダ側被係止部１６６に前方係止部８４を係止させる場合は、断面視六角形の装着孔６１の対向する２つの頂点が左右方向線上に位置するように設定される。こうすることで、作業内容に応じて、係止部材８１の前方係止部８４の係止先を第一ツールホルダ側被係止部１６５と第二ツールホルダ側被係止部１６６とから選択することで、作業性の良い装着孔６１の角度へ変更することができる。
【００２９】
なお、装着孔６１の角度を変更する場合の作業は、まず、操作突起８５を操作して係止部材８１の位置を一方係止位置へ移動させて一方のツールホルダ側被係止部への前方係止部８４の係止を解除する。次に、ツールホルダ部５０を中心軸線回りでバレル３１に対して３０度回転操作して他方のツールホルダ側被係止部へ前方係止部８４が係止可能な位置に位置させる。そして、係止部材８１の位置を一方係止位置から両方係止位置に移動させて他方のツールホルダ側被係止部へ前方係止部８４を係止させることとなり、きわめて簡単な作業で実行することができる。
【００３０】
以上、本発明の好適な実施形態について説明したが、本発明の技術的範囲は上記実施形態に記載の範囲に限定さない。上記実施形態には、多様な変更又は改良を加えることが可能である。
【００３１】
たとえば、上述の実施形態は、断面視六角形の装着孔６１の対向する２つの頂点が上下方向線上に位置するように設定するための構成、あるいは、断面視六角形の装着孔６１の対向する２つの頂点が左右方向線上に位置するように設定するための構成であったが、これに限定されない。所望する任意の角度に設定できるように構成することもできる。具体的には、例えば、ツールホルダ側被係止部を所望する装着孔６１の角度に対応する位置に形成しておけばよい。
【００３２】
また、たとえば、上述の実施形態においては、装着孔６１及びビット７１の基部は断面視六角形に形成されていたが、これに限定されない。例えば、断面視四角形でもよい。
【００３３】
また、たとえば、上述の実施形態においては、駆動源として電動モータ２１を採用していたが、これに限定されない。例えば、空圧モータでもよい。
【００３４】
また、たとえば、上述の実施形態においては、コイルバネ８７の付勢力が、係止部材８１を両方係止位置に維持させる維持力となるように構成されていたが、これに限定されない。例えば、磁力が維持力となるように構成してもよい。
【符号の説明】
【００３５】
１  コンクリートハンマ、１０  本体部、１１  ハウジング、１２  バレルカバー、１３  把持部、１４  補助ハンドル装着部、１５  開口、２０  駆動部、２１  電動モータ、２２  駆動伝達部、３０  打撃機構部、３１  バレル、３２  小径部、３３  雄ネジ、３４  中間外周部、３５  コイルバネ案内部、３６  大径部、３７  バレル側被係止部、４０  ハンドル部、４１  把持部、４２  スイッチ、５０  ツールホルダ部、５１  キャップ、５２  ツールスリーブ、５３  保持部、６０  ツールホルダ、６１  装着孔、６２  後端円環部、６３  雌ネジ、６４  シール部材、６５  ツールホルダ側被係止部、７１  ビット、８１  係止部材、８２  環状部、８３  後方係止部、８４  前方係止部、８５  操作突起、８６  コイルバネ支持部、８７  コイルバネ、１６０  ツールホルダ、１６５  第一ツールホルダ側被係止部、１６６  第二ツールホルダ側被係止部  
【図１】
2016209954.tif 000003
【図２】
2016209954.tif 000004
【図３】
2016209954.tif 000005
【図４】
2016209954.tif 000006
【図５】
2016209954.tif 000007
【図６】
2016209954.tif 000008